(57)【要約】      （修正有）【課題】簡便に掃除できる清掃用棒軸、これを備える清掃材保持具、及び清掃用具を提供する。【解決手段】清掃材保持具３は、変形自在の清掃用軸棒４及び把手部５を備える。把手部５は、清掃用軸棒４の末端に連結する。把手部５は、清掃用軸棒４の末端と連結する先端部に球状体を有し、把手部５の球状体が、清掃用軸棒４の末端の孔（好適には内周孔）に嵌入するものである。この把手部の球状体により、清掃用軸棒の方向を自在に変更することができる。清掃用軸棒４は、合成樹脂製の中空短軸棒から構成されるものである。中空短軸棒は、複数連結することで鎖状となっており、他の中空短軸棒と球面対偶して連結する。清掃材２は、基布を袋状に形成されている。【選択図】図２
0003182627.tif 000002
【実用新案登録請求の範囲】
【請求項１】
複数の合成樹脂製の中空短軸棒が球面対偶して連結する変形自在の清掃用軸棒。
【請求項２】
前記中空短軸棒は、くびれを有する略円錐台形状であり、当該くびれの前端部が球状体でありかつ後端部がスカート状体であり、当該スカート状体の内周孔に当該球状体が嵌入して球面対偶する請求項１記載の清掃用軸棒。
【請求項３】
前記前端部の高さ：前記後端部の高さが１／２：１／２〜１／４：３／４、及び／又は、前記前端部の球状体の外直径と前記後端部のスカート状体の内直径は０．５〜３ｃｍである請求項２記載の清掃用軸棒。
【請求項４】
前記中空短軸棒の数が１０〜３０及び／又は前記中空短軸棒の長さが１〜５ｃｍである請求項１〜３の何れか１項記載の清掃用軸棒。
【請求項５】
中空短軸棒の中心線と他の中空短軸棒の中心線とが成す最大の外角θが２３０度である請求項１〜４の何れか１項記載の清掃用軸棒。
【請求項６】
請求項１〜５の何れか１項記載の清掃用軸棒と、先端部に球状体を有する把手部とを備える清掃材保持具であり、
当該把手部の球状体が、当該清掃用軸棒の末端の内周孔に嵌入する清掃材保持具。
【請求項７】
略円柱形状のパイルを表面に有し、着脱可能な清掃材の内側に、請求項６に記載の清掃材保持具を挿入する清掃具。
【考案の詳細な説明】
【技術分野】
【０００１】
本考案は、清掃用軸棒、これを備える清掃材保持具及び清掃具に関する。
【背景技術】
【０００２】
清掃材が着脱可能に保持される清掃材保持具は、例えば特許文献１及び２に開示されている。
特許文献１には、モップの袋状取付部に挿入可能なほぼリング状の一対の支持体が各独立して形成され、前記支持基体がハンドルに取付けられるモップ取付具が開示されている。
特許文献２には、前部において連設されかつ後部ほど間隔が広くなるように後方へ延び出た左右のアーム部と、これらのアーム部の連設箇所に連設されてそれらのアーム部よりも上方へ張り出しながら後方へ延び出た梁部と、その梁部の後端に連設された把手部とを一体に備える合成樹脂成形体でなる清掃具が開示されている。
また、業務用・家庭用の毛払いも良く知られている。
【先行技術文献】
【特許文献】
【０００３】
【特許文献１】特開平８−３３６４３号公報
【特許文献２】実用新案登録第３０４３１９６号公報
【考案の概要】
【考案が解決しようとする課題】
【０００４】
しかしながら、掃除を目的とする場所や対象は様々であり、できるだけ清掃具を変えること無く、奥行きのある場所を清掃する一方で周辺の近場を清掃したり、また、車ボティーや車内のダッシュボード、また室内の机などの清掃対象に対応して簡単で便利に、手軽に清掃したいというユーザの要望がある。
また、清掃材保持具の形状が固定的となっていたり、清掃材保持具が奥行きに届かなかったりするため、掃除を簡便にできるとは言い難いものがある。
そこで、本考案は、斯かる実状に鑑み、簡便に掃除できる清掃用棒軸、これを備える清掃材保持具、及び清掃用具を提供しようとするものである。
【課題を解決するための手段】
【０００５】
本考案は、以下の〔１〕〜〔７〕にかかるものである。
〔１〕  複数の合成樹脂製の中空短軸棒が球面対偶して連結する変形自在の清掃用軸棒。
〔２〕  前記中空短軸棒は、くびれを有する略円錐台形状であり、当該くびれの前端部が球状体でありかつ後端部がスカート状体であり、当該スカート状体の内周孔に当該球状体が嵌入して球面対偶する前記〔１〕記載の清掃用軸棒。
〔３〕  前記前端部の高さ：前記後端部の高さが１／２：１／２〜１／４〜３／４、及び／又は、前記前端部の球状体の外直径と前記後端部のスカート状体の内直径は０．５〜３ｃｍである前記〔２〕記載の清掃用軸棒。
〔４〕  前記中空短軸棒の数が１０〜３０及び／又は前記中空短軸棒の長さが１〜５ｃｍである前記〔１〕〜〔３〕の何れか１項記載の清掃用軸棒。
〔５〕  中空短軸棒の中心線と他の中空短軸棒の中心線とが成す最大の外角θが２３０度である請求項１〜４の何れか１項記載の清掃用軸棒。
〔６〕  前記〔１〕〜〔５〕の何れか１項記載の清掃用軸棒と、先端部に球状体を有する把手部とを備える清掃材保持具であり、
当該把手部の球状体が、当該清掃用軸棒の末端の内周孔に嵌入する清掃材保持具。
〔７〕  略円柱形状のパイルを表面に有し、着脱可能な清掃材の内側に、前記〔６〕に記載の清掃材保持具を挿入する清掃具。
【考案の効果】
【０００６】
本考案は、簡便に掃除できる清掃用棒軸、これを備える清掃材保持具、及び清掃用具を提供することができる。
【図面の簡単な説明】
【０００７】
【図１】本考案の清掃具の概略図である。図１ａは上方からみた平面図であり、図１ｂは側方からみた正面図である。
【図２】本考案の着脱可能な清掃材と、変形自在の清掃用軸棒及び把手部を備える清掃材保持具とを備える清掃具の概略図である。図２ａは清掃材の概略図であり、図２ｂは上方からの清掃材保持具の概略図、図２ｃは側方からの清掃材保持具の概略図である。
【図３】本考案の中空短軸棒の側面図（図３ａ）、上面図（図３ｂ）、断面図（図３ｃ）を示す。
【図４】本考案の中空短軸棒の外周の変形例の側面図を示す。
【図５】本考案の中空短軸棒が球面対偶して連結した状態の図（図５ａ）と、連結した状態のものを変形させたときの断面図（図５ｂ）である。
【図６】図６ａは、本考案の清掃用軸棒をＯ字状に変形させたときの上方からみた平面図である。図６ｂは、本考案の清掃具をＯ字状に変形させたときの上方からみた平面図である。図６ｃは、本考案の清掃具をＵ字状に変形させたとき上方からみた平面図である。
【考案を実施するための形態】
【０００８】
以下、本考案を実施するための好適な形態について説明する。なお、以下に説明する実施形態は、本開示の代表的な実施形態を示したものであり、これにより本開示の範囲が狭く解釈されることはない。
【０００９】
図１には、本考案の清掃具１を示す。図２に示すように、本考案の清掃具１は、着脱可能な清掃材２と、清掃材保持具３を備えるものである。そして、本考案の清掃材保持具３は、変形自在の清掃用軸棒４及び把手部５を備える。
前記把手部５は、清掃用軸棒４の末端に連結する。この連結する部分については、可動できる状態の嵌合であるのが好ましく、球面対偶であるのがより好ましい。
前記把手部５は、清掃用軸棒４の末端と連結する先端部に球状体を有し、前記把手部５の球状体が、前記清掃用軸棒４の末端の孔（好適には内周孔）に嵌入するものである。この把手部の球状体により、清掃用軸棒の方向を自在に変更することができる。
【００１０】
前記清掃用軸棒４は、図３に示す合成樹脂製の中空短軸棒６から構成されるものである。前記中空短軸棒６は、中空短軸棒６が複数連結することで鎖状となっている。この中空短軸棒６は、図４に示すように、他の中空短軸棒６と球面対偶して連結することが可能なものである。
前記合成樹脂は、特に限定されず、例えば、ポリプロピレン、ポリエチレン、ＡＢＳ、ポリカーボネイト等から選ばれる１種以上のものが挙げられる。
前記中空短軸棒６は、樹脂の削り出しや射出成型にて製造することができる。
【００１１】
前記中空短軸棒６は、図３に示すように、くびれを有する略円錐台形状であり、その内部が中空である。そして、中空短軸棒６は、当該くびれの前端部６１が球状体であり、かつ後端部６２がスカート状体である。
前記中空短軸棒の前端部６１の球体は、楕円体球の意味も含まれる。そして、前記中空短軸棒の前端部６１は、後端部６２のスカート状体と連結する部分の球体の一部が欠けている球欠体形状であるのが好ましい。
前記中空短軸棒の後端部６２のスカート状体の外周の形状は特に限定されず、例えば、球体形状、円錐台形状、錐台形状などが挙げられ、これらが多段になっていてもよい（例えば、図３ａ、図４参照）。
【００１２】
前記中空短軸棒６の長さＨは、特に限定されないが、好ましくは１〜５ｃｍ、より好ましくは２〜４ｃｍ、さらに好ましくは３ｃｍである。
前記中空短軸棒６のくびれの位置Ｈ１（後端部６２の端部からの位置）は、特に限定されないが、全長Ｈの１／２〜３／４であるのが好ましい。
また、このくびれの位置Ｈ１で前端部６１と後端部６２を区分することができ、このとき後端部６２の高さがくびれの位置Ｈ１の高さと同じである。前端部６１の高さ：後端部６２の高さは、１／２：１／２〜１／４：３／４とするのが好適である。
また、前記前端部６１の球状体と前記後端部６２の内周孔とが連結する際に、前記球状体の外周Ｄ６１１の外直径の距離及び前記スカート状体の内直径Ｄ６２１の距離が球面対偶できる距離であるのが好ましく、さらにこれらが略等しい距離であるのがより好ましい。さらに、前記球状体の外周Ｄ６１１の外直径と前記スカート状体の内直径Ｄ６２１は、好ましくは０．５〜３ｃｍ、より好ましくは２ｃｍである。なお、この外直径と内直径は、中心線ｍと直交し、それぞれ前端部及び後端部の最大直径である。
【００１３】
図５に示すように、中空短軸棒６の後端部６２のスカート状体の内周孔６２１に、他の中空短軸棒６の前端部６１の球状体の外周６１１が嵌入する。嵌入し、連結した状態の中空短軸棒６，６を図５に示す。このような連結により球面対偶となり、中空短軸棒同士が球面で接して、滑り運動をすることができる。これにより、変形自在にすることができる。
図５ｂに示すように、中空短軸棒６は、中空短軸棒の中心線と他の中空短軸棒の中心線とが成す最大の外角θが２７０度未満になるように連結することが可能なように、形成されていることが望ましい。最大外角θは、好ましくは２３０度であり、より好ましくは２１０度である。
【００１４】
そして、中空短軸棒６は任意に複数連結することで任意の長さの鎖状に形成することが可能である。例えば、図２に示す清掃用軸棒４とすることができる。このように中空短軸棒が球面対偶して長鎖状に連結することで、清掃用軸棒４は、例えば、Ｏ字型、Ｌ字型、Ｕ字型、Ｓ字型など、ユーザの所望に応じて変形自在にすることができる（例えば図６参照）。
ここで、鎖状に形成する際に、中空短軸棒６の数は、１０〜３０であるのが好ましい。さらに中空短軸棒６の数が１５〜２５であるのが、ユーザが清掃用軸棒を直線状やＯ字状等に変形させて掃除する際に取り扱いが容易なため、好適である。
また、清掃用軸棒の長さは、特に限定されないが、好ましくは５〜６０ｃｍ、より好ましくは１５〜５０ｃｍである。
【００１５】
把手部５の形状は、特に限定されず、清掃用軸棒の接続部から、ユーザが握るグリップ部まで直線状であってもよいし、清掃用軸棒の接続部とグリップ部に段差を設けた形状でもよい。また、把手部５の形状は、環状、半環状、Ｓ字状、Ｌ字状、クランク状の何れであってもよい。
また、把手部５に、清掃材２を固定するための固定部を設けてもよく、この固定部として係止部を設けることが好ましい。これにより、清掃材を、清掃用軸棒を有する清掃材保持具に装着した後に、清掃材が清掃材保持具から外れにくくなり、清掃が行い易くなる。
【００１６】
清掃材２は、ホコリ等を掃除することができれば特に限定されない。例えば、ウェット状態若しくはドライ状態での払拭清掃用、又は、水洗いやウェット払拭清掃後の清掃対象物について水分拭き取り用等として使用できるものが挙げられる。
例えば、清掃材２として、ほぼ起立状態で密生したループパイルを基布の表面に有するもの；ループパイルの中心を拠って得られる略円柱形状の多数のパイルを基布の表面に有するもの（例えば図１及び２参照）等が挙げられる。
当該パイルは、０．０５〜１デニールの非吸水性のフィラメントからなるものが好ましい。このフィラメントの材質は、ポリエステル系、ポリアミド系、ポリプロピレン系及びポリエチレン系から選ばれる１種又は２種以上のものである。
また、略円柱形状のパイルの高さは、好ましくは１〜５ｃｍ、より好ましくは２〜４ｃｍである。また、当該略円柱形状のパイルの直径は、好ましくは０．１〜１ｃｍ、より好ましくは０．３〜０．６ｃｍである。
【００１７】
清掃材２は、基布を袋状に形成されているものが好ましく、基布を長尺袋状に形成されているものがより好ましい。この清掃材２の長手方向の長さは、清掃材２の基布の内側に清掃材保持具３の清掃用軸棒４を挿入できる大きさのものが好ましく、清掃用軸棒４よりもやや長いのが好ましい。
そして、清掃材２は、その袋状部の外側のほぼ全体に多数のパイルが設けられてなるものであるのが好適である。そして、清掃用軸棒４が挿入される袋状部には開口部が設けられている。この開口部を環状に形成し、この環状の開口部をゴム等の弾性体にしてもよいし、また環状の開口部に、把手部の係止部に係る、ゴム等の弾性状リングを設けてもよい。これにより、清掃時に清掃材が清掃材保持具から外れにくくなる一方で、清掃材を適宜着脱することも容易となる。
【００１８】
清掃材保持具３の清掃用軸棒４はヒトの手で可変自在にすることができるので、これにより、清掃用軸棒４を変形させることで、清掃材２も同じように変形する。そして、所望の清掃場所や清掃対象に合わせて、簡便に清掃することができる。
また、清掃材保持具３は変形自在であることから、清掃具の保管の際に便利である。
【符号の説明】
【００１９】
１  清掃具；２  清掃材；３  清掃材保持具；４  清掃用軸棒；５  把手部；前端部  ６１；外周  ６１１；外直径  Ｄ６１１；後端部  ６２：内周孔  ６２１；；内直径  Ｄ６２１；中空短軸棒の高さ  Ｈ；くびれ位置の高さ  Ｈ１；最大外角  θ；中心性  ｍ
【図１】
0003182627.tif 000003
【図２】
0003182627.tif 000004
【図３】
0003182627.tif 000005
【図４】
0003182627.tif 000006
【図５】
0003182627.tif 000007
【図６】
0003182627.tif 000008